【手続補正書】
【提出日】平成16年9月14日(2004.9.14)
【手続補正１】
【補正対象書類名】明細書
【補正対象項目名】特許請求の範囲
【補正方法】変更
【補正の内容】
【特許請求の範囲】
【請求項１】
空気の存在下で発熱し得る発熱組成物を収納するための袋であって、該袋の少なくとも一部が通気性微細孔膜からなり、該通気性微細孔膜に親水性を保持せしめたことを特微とする発熱組成物収納用袋。
【請求項２】
親水性を保持せしめた通気性微細孔膜の片側の面または両側の面が、通気性の不織布、織布または紙類からなる通気性補強材によって補強されてなることを特徴とする請求項１に記載の発熱組成物収納用袋。
【請求項３】
通気性微細孔膜を補強する通気性補強材に親水性を保持せしめたことを特微とする請求項２に記載の発熱組成物収納用袋。
【請求項４】
通気性微細孔膜または通気性微細孔膜と通気性補強材とに、アニオン系界面活性剤およびノニオン系界面活性剤からなる群より選択される少なくとも一種の溶液を付着させた後に乾燥することにより、親水性を付与したことを特徴とする請求項１〜３のいずれか１項に記載の発熱組成物収納用袋。
【請求項５】
アニオン系界面活性剤およびノニオン系界面活性剤からなる群より選択される少なくとも一種が、ジアルキルスルホコハク酸塩、パラアルキルベンゼンスルホン酸塩、オルトアルキルベンゼンスルホン酸塩、ジアルキルナフタレンスルホン酸塩、アルキル硫酸エステル塩、オレイン酸ブチル硫酸化物、高級アルコール硫酸エステル塩、アルキルアミドスルホン酸塩、ポリオキシエチレンアルキルエーテル、ヒマシ油・エチレンオキサイド付加物、アルキルフェノール・エチレンオキサイド付加物、高級アルコ−ル・エチレンオキサイド付加物、多価アルコール脂肪酸エステル、ポリオキシエチレン多価アルコール脂肪酸エステル、多価アルコール脂肪酸エーテル・エステルおよび高級アルコール燐酸エステルからなる群より選択される少なくとも一種であることを特徴とする請求項４に記載の発熱組成物収納用袋。
【請求項６】
通気性微細孔膜が、その材料である熱可塑性樹脂と充填剤とアニオン系界面活性剤およびノニオン系界面活性剤からなる群より選択される少なくとも一種の親水性付与物質とを混練してシート状に成形した後、延伸したものである、請求項１〜５のいずれか１項記載の発熱組成物収納用袋。
【請求項７】
請求項１〜６のいずれか１項記載の発熱組成物収納用袋に、発熱組成物を充填した発熱袋。
【請求項８】
親水性を保持せしめた通気性微細孔膜の空気側に、水を塗布または噴霧するか、あるいは水を含んだ材料を共存もしくは接触させた、請求項７記載の発熱袋。
【請求項９】
前記水を含んだ材料が、水を含んだ繊維、紙質、保水材および吸水性ポリマーの少なくとも一種である、請求項８記載の発熱袋。
【請求項１０】
酸素不透過性の袋に収納してなる、請求項７〜９のいずれか１項記載の発熱袋。
【請求項１１】
請求項７〜９のいずれか１項記載の発熱袋と、経皮薬剤とを含む、ドラッグ・デリバリー・システム。
【請求項１２】
少なくとも一部が通気性微細孔膜からなる発熱組成物収納用袋に発熱組成物が充填されてなる発熱袋の発熱開始を遅延させる方法であって、該通気性微細孔膜に親水性を保持せしめることを特徴とする方法。
【請求項１３】
袋の少なくとも一部が通気性微細孔膜からなり、該通気性微細孔膜に親水性を保持せしめたことを特微とする発熱組成物収納用袋に、発熱組成物を充填して発熱袋を作製し、次いで、前記通気性微細孔膜の空気側に、水を塗布または噴霧するか、あるいは水を含んだ材料を共存もしくは接触させた後、酸素不透過性の袋に収納することを特徴とする、発熱袋の製造方法。
【手続補正２】
【補正対象書類名】明細書
【補正対象項目名】００１４
【補正方法】変更
【補正の内容】
【００１４】
【発明の詳細な説明】
また、人間のサーカディアン・リズムの研究によると、多くの疾患の発症・症状等にリズム現象がみられる。胆石・変形性関節炎・う歯・偏頭痛・アレルギー性鼻炎のくしゃみ等に、時間に関して一峰性の最大リズムがある。また近年、循環器系の疾患におけるリズムが特に注目を浴びている。急性心筋梗塞等の各種心筋虚血の発症または心臓疾患性の突然死が、早朝起床前後に最大値を有するリズムを示すと言う事実は、多くの報告が一致して指摘するところである。この現象と血圧リズムにおける起床前後の急激な上昇（モーニング・サージ）との因果関係は、否定できないものがある。心筋虚血に限らず、安静狭心症、脳梗塞、脳内出血、致死性肺の発症においても起床前後に最大を示すリズムがあるし、早朝発症する喘息も原因は異なるかもしれぬが、同時期に起こる。
【手続補正３】
【補正対象書類名】明細書
【補正対象項目名】００２１
【補正方法】変更
【補正の内容】
【００２１】
【課題を解決するための手段】
本発明者は、鋭意研究・検討の結果、発熱組成物収納袋体（「発熱袋」、「発熱組成物収納袋」または「発熱体」ともいう）の発熱を遅延させる方法として、発熱組成物収納用袋の一部をなす通気性微細孔膜を親水化処理することにより、数時間の遅延効果を実現し、さらにその時間を自由にコントロールできることを発見した。
【手続補正４】
【補正対象書類名】明細書
【補正対象項目名】００２３
【補正方法】変更
【補正の内容】
【００２３】
すなわち、本発明は、下記に示すとおりの発熱組成物収納用袋、この発熱組成物収納用袋を用いた発熱袋、この発熱袋を用いたドラッグ・デリバリー・システム、発熱袋の発熱開始を遅延させる方法及び発熱袋の製造方法を提供するものである。
【手続補正５】
【補正対象書類名】明細書
【補正対象項目名】００２７
【補正方法】変更
【補正の内容】
【００２７】
４．通気性微細孔膜または通気性微細孔膜と通気性補強材とに、アニオン系界面活性剤およびノニオン系界面活性剤からなる群より選択される少なくとも一種の溶液を付着させた後に乾燥することにより、親水性を付与したことを特徴とする上記項１〜３のいずれか１項に記載の発熱組成物収納用袋。
５．アニオン系界面活性剤およびノニオン系界面活性剤からなる群より選択される少なくとも一種が、ジアルキルスルホコハク酸塩、パラアルキルベンゼンスルホン酸塩、オルトアルキルベンゼンスルホン酸塩、ジアルキルナフタレンスルホン酸塩、アルキル硫酸エステル塩、オレイン酸ブチル硫酸化物、高級アルコール硫酸エステル塩、アルキルアミドスルホン酸塩、ポリオキシエチレンアルキルエーテル、ヒマシ油・エチレンオキサイド付加物、アルキルフェノール・エチレンオキサイド付加物、高級アルコ−ル・エチレンオキサイド付加物、多価アルコール脂肪酸エステル、ポリオキシエチレン多価アルコール脂肪酸エステル、多価アルコール脂肪酸エーテル・エステルおよび高級アルコール燐酸エステルからなる群より選択される少なくとも一種であることを特徴とする上記項４に記載の発熱組成物収納用袋。
６．通気性微細孔膜が、その材料である熱可塑性樹脂と充填剤とアニオン系界面活性剤およびノニオン系界面活性剤からなる群より選択される少なくとも一種の親水性付与物質とを混練してシート状に成形した後、延伸したものである、上記項１〜５のいずれか１項記載の発熱組成物収納用袋。
【手続補正６】
【補正対象書類名】明細書
【補正対象項目名】００２８
【補正方法】変更
【補正の内容】
【００２８】
７．上記項１〜６のいずれか１項記載の発熱組成物収納用袋に、発熱組成物を充填した発熱袋。
８．親水性を保持せしめた通気性微細孔膜の空気側に水を塗布または噴霧するか、あるいは水を含んだ材料を共存もしくは接触させた、上記項７記載の発熱袋。
９．前記水を含んだ材料が、水を含んだ繊維、紙質、保水材および吸水性ポリマーの少なくとも一種である、上記項８記載の発熱袋。
１０．酸素不透過性の袋に収納してなる、上記項７〜９のいずれか１項記載の発熱袋。
【手続補正７】
【補正対象書類名】明細書
【補正対象項目名】００２９
【補正方法】変更
【補正の内容】
【００２９】
１１．上記項７〜９のいずれか１項記載の発熱袋と、経皮薬剤とを含む、ドラッグ・デリバリー・システム。
【手続補正８】
【補正対象書類名】明細書
【補正対象項目名】００３０
【補正方法】変更
【補正の内容】
【００３０】
１２．少なくとも一部が通気性微細孔膜からなる発熱組成物収納用袋に発熱組成物が充填されてなる発熱袋の発熱開始を遅延させる方法であって、該通気性微細孔膜に親水性を保持せしめることを特徴とする方法。
１３.  袋の少なくとも一部が通気性微細孔膜からなり、該通気性微細孔膜に親水性を保持せしめたことを特微とする発熱組成物収納用袋に、発熱組成物を充填して発熱袋を作製し、次いで、前記通気性微細孔膜の空気側に、水を塗布または噴霧するか、あるいは水を含んだ材料を共存もしくは接触させた後、酸素不透過性の袋に収納することを特徴とする、発熱袋の製造方法。